(57)【特許請求の範囲】
【請求項１】
対象を説明するための番組を示す番組情報を配信する番組情報配信装置であって、
前記番組を視聴するユーザからの応答を示す応答情報を受信する受信部と、
前記応答情報に基づいて前記ユーザのレベルを示す情報を更新し、選択可能な複数種類の前記番組の中から、更新した前記ユーザのレベルの高低に応じた内容の前記番組を選択する選択部と、
前記選択部により選択された前記番組を示す前記番組情報を送信する送信部とを備え、
前記選択可能な複数種類の前記番組の各々は、複数の期間に分割され、前記期間ごとの分割番組を有し、前記分割番組を示す前記番組情報がそれぞれ作成されているものであって、前記分割番組を単位として選択可能であり、
前記選択部は、ある前記期間の前記分割番組を示す前記番組情報の送信が完了するまでに受信された前記応答情報に基づいて更新した前記ユーザのレベルに対応する前記分割番組を、前記期間の次の期間における前記分割番組として選択する、番組情報配信装置。
【請求項２】
対象を説明するための番組を示す番組情報を配信する番組情報配信装置と、
前記番組情報配信装置から配信される前記番組情報を受信する番組情報受信装置とを備え、
前記番組情報受信装置は、前記番組を視聴するユーザからの応答を示す応答情報を前記番組情報配信装置へ送信し、
前記番組情報配信装置は、受信した前記応答情報に基づいて前記ユーザのレベルを示す情報を更新し、選択可能な複数種類の前記番組の中から、更新した前記ユーザのレベルの高低に応じた内容の前記番組を選択し、選択した前記番組を示す前記番組情報を前記番組情報受信装置へ送信し、
前記選択可能な複数種類の前記番組の各々は、複数の期間に分割され、前記期間ごとの分割番組を有し、前記分割番組を示す前記番組情報がそれぞれ作成されているものであって、前記分割番組を単位として選択可能であり、
前記番組情報配信装置は、ある前記期間の前記分割番組を示す前記番組情報の送信が完了するまでに受信した前記応答情報に基づいて更新した前記ユーザのレベルに対応する前記分割番組を、前記期間の次の期間における前記分割番組として選択する、番組情報配信システム。
【請求項３】
対象を説明するための番組を示す番組情報を配信する番組情報配信装置における番組情報配信方法であって、
前記番組を視聴するユーザからの応答を示す応答情報を受信するステップと、
前記応答情報に基づいて前記ユーザのレベルを示す情報を更新し、選択可能な複数種類の前記番組の中から、更新した前記ユーザのレベルの高低に応じた内容の前記番組を選択するステップと、
選択した前記番組を示す前記番組情報を送信するステップとを含み、
前記選択可能な複数種類の前記番組の各々は、複数の期間に分割され、前記期間ごとの分割番組を有し、前記分割番組を示す前記番組情報がそれぞれ作成されているものであって、前記分割番組を単位として選択可能であり、
前記番組を選択するステップにおいては、ある前記期間の前記分割番組を示す前記番組情報の送信が完了するまでに受信した前記応答情報に基づいて更新した前記ユーザのレベルに対応する前記分割番組を、前記期間の次の期間における前記分割番組として選択する、番組情報配信方法。
【請求項４】
対象を説明するための番組を示す番組情報を配信する番組情報配信装置と、
前記番組情報配信装置から配信される前記番組情報を受信する番組情報受信装置とを備える番組情報配信システムにおける番組情報配信方法であって、
前記番組情報受信装置が、前記番組を視聴するユーザからの応答を示す応答情報を前記番組情報配信装置へ送信するステップと、
前記番組情報配信装置が、受信した前記応答情報に基づいて前記ユーザのレベルを示す情報を更新し、選択可能な複数種類の前記番組の中から、更新した前記ユーザのレベルの高低に応じた内容の前記番組を選択するステップと、
前記番組情報配信装置が、選択した前記番組を示す前記番組情報を前記番組情報受信装置へ送信するステップとを含み、
前記選択可能な複数種類の前記番組の各々は、複数の期間に分割され、前記期間ごとの分割番組を有し、前記分割番組を示す前記番組情報がそれぞれ作成されているものであって、前記分割番組を単位として選択可能であり、
前記番組を選択するステップにおいては、前記番組情報配信装置が、ある前記期間の前記分割番組を示す前記番組情報の送信が完了するまでに受信した前記応答情報に基づいて更新した前記ユーザのレベルに対応する前記分割番組を、前記期間の次の期間における前記分割番組として選択する、番組情報配信方法。
【請求項５】
対象を説明するための番組を示す番組情報を配信する番組情報配信装置において用いられる番組情報配信プログラムであって、
コンピュータに、
前記番組を視聴するユーザからの応答を示す応答情報を受信するステップと、
前記応答情報に基づいて前記ユーザのレベルを示す情報を更新し、選択可能な複数種類の前記番組の中から、更新した前記ユーザのレベルの高低に応じた内容の前記番組を選択するステップと、
選択した前記番組を示す前記番組情報を送信するステップとを実行させるためのプログラムであり、
前記選択可能な複数種類の前記番組の各々は、複数の期間に分割され、前記期間ごとの分割番組を有し、前記分割番組を示す前記番組情報がそれぞれ作成されているものであって、前記分割番組を単位として選択可能であり、
前記番組を選択するステップにおいては、ある前記期間の前記分割番組を示す前記番組情報の送信が完了するまでに受信した前記応答情報に基づいて更新した前記ユーザのレベルに対応する前記分割番組を、前記期間の次の期間における前記分割番組として選択する、番組情報配信プログラム。
【請求項６】
対象を説明するための番組を示す番組情報を配信する番組情報配信装置と、
前記番組情報配信装置から配信される前記番組情報を受信する番組情報受信装置とを備える番組情報配信システムにおいて用いられる番組情報配信プログラムであって、
コンピュータに、
前記番組情報受信装置が、前記番組を視聴するユーザからの応答を示す応答情報を前記番組情報配信装置へ送信するステップと、
前記番組情報配信装置が、受信した前記応答情報に基づいて前記ユーザのレベルを示す情報を更新し、選択可能な複数種類の前記番組の中から、更新した前記ユーザのレベルの高低に応じた内容の前記番組を選択するステップと、
前記番組情報配信装置が、選択した前記番組を示す前記番組情報を前記番組情報受信装置へ送信するステップとを実行させるためのプログラムであり、
前記選択可能な複数種類の前記番組の各々は、複数の期間に分割され、前記期間ごとの分割番組を有し、前記分割番組を示す前記番組情報がそれぞれ作成されているものであって、前記分割番組を単位として選択可能であり、
前記番組を選択するステップにおいては、前記番組情報配信装置が、ある前記期間の前記分割番組を示す前記番組情報の送信が完了するまでに受信した前記応答情報に基づいて更新した前記ユーザのレベルに対応する前記分割番組を、前記期間の次の期間における前記分割番組として選択する、番組情報配信プログラム。
【発明の詳細な説明】
【技術分野】
【０００１】
本発明は、番組情報配信装置、番組情報配信システム、番組情報受信装置、番組情報配信方法、番組情報受信方法、番組情報配信プログラム、および番組情報受信プログラムに関し、特に、対象を説明するための番組を示す番組情報を配信する番組情報配信装置、番組情報配信システム、番組情報受信装置、番組情報配信方法、番組情報受信方法、番組情報配信プログラム、および番組情報受信プログラムに関する。
【背景技術】
【０００２】
従来、ネットワークを介してユーザにコンテンツを配信するシステムが知られている。たとえば、特許文献１（特開２００７−３２７９８８号公報）には、デジタル教材であるコンテンツを配信する映像配信サーバと、デジタル教材を視聴する映像受信装置と、受講者からの質問データを受け付ける質問受付サーバと、映像教材ＤＢと、質問ＤＢと、回答ＤＢと、質問確認，回答作成用の端末とを備え、コンテンツの受講者は学習を進める中で質問が発生すれば該当コンテンツのＩＮ点またはＯＵＴ点を設定して、センタ側の質問受付サーバへ送信し、センタ側では当該ＩＮ点またはＯＵＴ点情報を元に質問内容を確認し、回答を提示する双方向データ通信方式が開示されている。
【先行技術文献】
【特許文献】
【０００３】
【特許文献１】特開２００７−３２７９８８号公報
【特許文献２】特開２００８−９６４８２号公報
【発明の概要】
【発明が解決しようとする課題】
【０００４】
しかしながら、上記の特許文献１に記載の双方向データ通信方式では、複数の受講者に単一のコンテンツを配信するため、複数の受講者の中には、配信されるコンテンツである講義の内容を十分に理解できない状態のまま次の講義を視聴したり、講義の内容を十分に理解できているにもかかわらず長時間当該内容の講義を視聴したりするなど、効率的な学習を行うことができない受講者が存在する可能性がある。
【０００５】
この発明は、上述の課題を解決するためになされたもので、その目的は、ユーザごとに適切な情報を自動的に配信することができる番組情報配信装置、番組情報配信システム、番組情報受信装置、番組情報配信方法、番組情報受信方法、番組情報配信プログラム、および番組情報受信プログラムを提供することである。
【課題を解決するための手段】
【０００６】
（１）上記課題を解決するために、この発明のある局面に係わる番組情報配信装置は、対象を説明するための番組を示す番組情報を配信する番組情報配信装置であって、前記番組を視聴するユーザからの応答を示す応答情報を受信する受信部と、前記応答情報に基づいて前記ユーザの情報を更新し、更新した前記ユーザの情報に応じた内容の前記番組を選択する選択部と、前記選択部により選択された前記番組を示す前記番組情報を送信する送信部とを備える。
【０００７】
（８）上記課題を解決するために、この発明のある局面に係る番組情報配信システムは、対象を説明するための番組を示す番組情報を配信する番組情報配信装置と、前記番組情報配信装置から配信される前記番組情報を受信する番組情報受信装置とを備え、前記番組情報受信装置は、前記番組を視聴するユーザからの応答を示す応答情報を前記番組情報配信装置へ送信し、前記番組情報配信装置は、受信した前記応答情報に基づいて前記ユーザの情報を更新し、更新した前記ユーザの情報に応じた内容の前記番組を選択し、選択した前記番組を示す前記番組情報を前記番組情報受信装置へ送信する。
【０００８】
（９）上記課題を解決するために、この発明のある局面に係る番組情報受信装置は、対象を説明するための番組を示す番組情報を受信する受信部と、前記番組を視聴するユーザからの応答を示す応答情報を送信する送信部とを備え、前記受信部は、前記応答情報に基づいて更新される前記ユーザの情報に応じて選択された内容の前記番組、を示す前記番組情報を受信する。
【０００９】
（１０）上記課題を解決するために、この発明のある局面に係る番組情報配信方法は、対象を説明するための番組を示す番組情報を配信する番組情報配信装置における番組情報配信方法であって、前記番組を視聴するユーザからの応答を示す応答情報を受信するステップと、前記応答情報に基づいて前記ユーザの情報を更新し、更新した前記ユーザの情報に応じた内容の前記番組を選択するステップと、選択した前記番組を示す前記番組情報を送信するステップとを含む。
【００１０】
（１１）上記課題を解決するために、この発明の他の局面に係る番組情報配信方法は、対象を説明するための番組を示す番組情報を配信する番組情報配信装置と、前記番組情報配信装置から配信される前記番組情報を受信する番組情報受信装置とを備える番組情報配信システムにおける番組情報配信方法であって、前記番組情報受信装置が、前記番組を視聴するユーザからの応答を示す応答情報を前記番組情報配信装置へ送信するステップと、前記番組情報配信装置が、受信した前記応答情報に基づいて前記ユーザの情報を更新し、更新した前記ユーザの情報に応じた内容の前記番組を選択するステップと、前記番組情報配信装置が、選択した前記番組を示す前記番組情報を前記番組情報受信装置へ送信するステップとを含む。
【００１１】
（１２）上記課題を解決するために、この発明のある局面に係る番組情報受信方法は、対象を説明するための番組を示す番組情報を受信する番組情報受信装置における番組情報受信方法であって、対象を説明するための番組を示す番組情報を受信するステップと、前記番組を視聴するユーザからの応答を示す応答情報を送信するステップと、前記応答情報に基づいて更新される前記ユーザの情報に応じて選択された内容の前記番組、を示す前記番組情報を受信するステップとを含む。
【００１２】
（１３）上記課題を解決するために、この発明のある局面に係る番組情報配信プログラムは、対象を説明するための番組を示す番組情報を配信する番組情報配信装置において用いられる番組情報配信プログラムであって、コンピュータに、前記番組を視聴するユーザからの応答を示す応答情報を受信するステップと、前記応答情報に基づいて前記ユーザの情報を更新し、更新した前記ユーザの情報に応じた内容の前記番組を選択するステップと、選択した前記番組を示す前記番組情報を送信するステップとを実行させるためのプログラムである。
【００１３】
（１４）上記課題を解決するために、この発明の他の局面に係る番組情報配信プログラムは、対象を説明するための番組を示す番組情報を配信する番組情報配信装置と、前記番組情報配信装置から配信される前記番組情報を受信する番組情報受信装置とを備える番組情報配信システムにおいて用いられる番組情報配信プログラムであって、コンピュータに、前記番組情報受信装置が、前記番組を視聴するユーザからの応答を示す応答情報を前記番組情報配信装置へ送信するステップと、前記番組情報配信装置が、受信した前記応答情報に基づいて前記ユーザの情報を更新し、更新した前記ユーザの情報に応じた内容の前記番組を選択するステップと、前記番組情報配信装置が、選択した前記番組を示す前記番組情報を前記番組情報受信装置へ送信するステップとを実行させるためのプログラムである。
【００１４】
（１５）上記課題を解決するために、この発明のある局面に係る番組情報受信プログラムは、対象を説明するための番組を示す番組情報を受信する番組情報受信装置において用いられる番組情報受信プログラムであって、コンピュータに、対象を説明するための番組を示す番組情報を受信するステップと、前記番組を視聴するユーザからの応答を示す応答情報を送信するステップと、前記応答情報に基づいて更新される前記ユーザの情報に応じて選択された内容の前記番組、を示す前記番組情報を受信するステップとを実行させるためのプログラムである。
【００１５】
本発明は、このような特徴的な処理部を備える番組情報配信装置として実現することができるだけでなく、番組情報配信装置の一部または全部を実現する半導体集積回路として実現することができる。
【００１６】
また、本発明は、このような特徴的な処理部を備える番組情報受信装置として実現することができるだけでなく、番組情報受信装置の一部または全部を実現する半導体集積回路として実現することができる。
【発明の効果】
【００１７】
本発明によれば、ユーザごとに適切な情報を自動的に配信することができる。
【図面の簡単な説明】
【００１８】
【図１】図１は、本発明の第１の実施の形態に係る番組情報配信システムの構成を示す図である。
【図２】図２は、図１に示す受信装置の構成を示す図である。
【図３】図３は、図１に示す配信装置の構成を示す図である。
【図４】図４は、図３に示す番組情報記憶部に記憶されている番組情報の分類の一例を示す図である。
【図５】図５は、本発明の第１の実施の形態に係る番組情報配信システムによる動作手順を定めたシーケンス図である。
【図６】図６は、図５に示す配信処理における配信装置の動作手順を定めたフローチャートである。
【図７】図７は、図５に示す配信処理において配信装置により配信され、受信装置により画面に表示される番組のイメージを示す図である。
【図８】図８は、本発明の第２の実施の形態に係る番組情報配信システムの配信装置の構成を示す図である。
【図９】図９は、図８に示す配信装置による動作手順を定めたフローチャートである。
【図１０】図１０は、図８に示す配信装置により配信され、受信装置により画面に表示される番組のイメージを示す図（その１）である。
【図１１】図１１は、本発明の第２の実施の形態に係る番組情報配信システムの配信装置により配信され、受信装置により画面に表示される番組のイメージを示す図（その２）である。
【図１２】図１２は、本発明の第３の実施の形態に係る番組情報配信システムの配信装置の構成を示す図である。
【図１３】図１３は、図１２に示す配信装置により配信され、受信装置により画面に表示される番組のイメージを示す図である。
【発明を実施するための形態】
【００１９】
最初に、本発明の実施形態の内容を列記して説明する。
【００２０】
（１）本発明の実施の形態に係る番組情報配信装置は、対象を説明するための番組を示す番組情報を配信する番組情報配信装置であって、前記番組を視聴するユーザからの応答を示す応答情報を受信する受信部と、前記応答情報に基づいて前記ユーザの情報を更新し、更新した前記ユーザの情報に応じた内容の前記番組を選択する選択部と、前記選択部により選択された前記番組を示す前記番組情報を送信する送信部とを備える。
【００２１】
このように、ユーザからの応答情報に基づいて選択された内容の番組を示す番組情報が当該ユーザに配信されることにより、ユーザごとに適切な情報を自動的に配信することができる。
【００２２】
（２）好ましくは、前記選択部は、前記ユーザのレベルに応じた複数種類の前記番組の中から、更新した前記ユーザの情報に対応する前記番組を選択する。
【００２３】
このような構成により、各ユーザのレベルに応じた番組を示す番組情報、を配信することができるため、各ユーザに対して適切な難易度の番組を配信することができる。
【００２４】
（３）好ましくは、前記番組は、複数の期間に分割され、前記期間ごとの分割番組を有し、各前記分割番組を示す前記番組情報がそれぞれ作成されており、前記選択部は、ある前記期間の前記分割番組を示す前記番組情報の送信が完了するまでに受信された前記応答情報に基づいて更新した前記ユーザの情報に対応する前記分割番組を、前記期間の次の期間における前記分割番組として選択する。
【００２５】
このような構成により、前の期間において得られた、ユーザのレベルなどを示すユーザの情報を用いて次の期間の分割番組を選択することができるので、期間ごとに適切な内容の分割番組を選択することができる。
【００２６】
（４）好ましくは、前記受信部は、前記番組情報が配信されている期間において前記番組情報の示す前記番組に対する前記ユーザからの質問を示す質問情報を受信し、前記送信部は、前記質問情報の示す前記質問に対する回答を示す回答情報を送信する。
【００２７】
このように、番組情報の配信期間においてリアルタイムでユーザからの質問を受け付けることにより、番組の内容に対するユーザの理解度を深めることができる。
【００２８】
（５）より好ましくは、前記番組情報配信装置は、さらに、前記受信部が過去に受信した前記質問情報の示す質問と、前記質問に対する回答と、前記質問の対象である前記番組とを対応づける質問管理部を備え、前記送信部は、前記番組情報と共に、前記番組情報の示す前記番組に対応する前記質問および前記回答を示す情報を送信する。
【００２９】
このような構成により、過去に行われた質問および当該質問に対する回答を番組と共に一度に提示することができるため、番組の内容に対するユーザの理解度を深めることができる。また、複数のユーザから同じ内容の質問を受信すること、および複数のユーザへ同じ内容の回答を送信することを回避することができる。
【００３０】
（６）好ましくは、前記受信部は、前記番組情報が配信されている期間において前記番組情報の示す前記番組に対する前記ユーザからの評価を示す評価情報を受信する。
【００３１】
このような構成により、ユーザからの評価を、たとえば番組の内容の改善に用いることができる。
【００３２】
（７）好ましくは、前記送信部は、前記番組情報が配信されている期間において前記番組情報の示す前記番組に関連する関連情報を送信する。
【００３３】
このような構成により、番組に関連する関連情報を番組と共に一度に提示することができるため、番組の内容に対するユーザの理解度を深めることができる。また、ユーザが自ら番組の内容に関連する書籍などを探す手間を省くことができる。
【００３４】
（８）本発明の実施の形態に係る番組情報配信システムは、対象を説明するための番組を示す番組情報を配信する番組情報配信装置と、前記番組情報配信装置から配信される前記番組情報を受信する番組情報受信装置とを備え、前記番組情報受信装置は、前記番組を視聴するユーザからの応答を示す応答情報を前記番組情報配信装置へ送信し、前記番組情報配信装置は、受信した前記応答情報に基づいて前記ユーザの情報を更新し、更新した前記ユーザの情報に応じた内容の前記番組を選択し、選択した前記番組を示す前記番組情報を前記番組情報受信装置へ送信する。
【００３５】
このように、ユーザからの応答情報に基づいて選択された内容の番組を示す番組情報が当該ユーザに配信されることにより、ユーザごとに適切な情報を自動的に配信することができる。
【００３６】
（９）本発明の実施の形態に係る番組情報受信装置は、対象を説明するための番組を示す番組情報を受信する受信部と、前記番組を視聴するユーザからの応答を示す応答情報を送信する送信部とを備え、前記受信部は、前記応答情報に基づいて更新される前記ユーザの情報に応じて選択された内容の前記番組、を示す前記番組情報を受信する。
【００３７】
このように、ユーザからの応答情報に基づいて選択された内容の番組を示す番組情報が当該ユーザに配信されることにより、ユーザごとに適切な情報を自動的に配信することができる。
【００３８】
（１０）本発明の実施の形態に係る番組情報配信方法は、対象を説明するための番組を示す番組情報を配信する番組情報配信装置における番組情報配信方法であって、前記番組を視聴するユーザからの応答を示す応答情報を受信するステップと、前記応答情報に基づいて前記ユーザの情報を更新し、更新した前記ユーザの情報に応じた内容の前記番組を選択するステップと、選択した前記番組を示す前記番組情報を送信するステップとを含む。
【００３９】
このように、ユーザからの応答情報に基づいて選択された内容の番組を示す番組情報が当該ユーザに配信されることにより、ユーザごとに適切な情報を自動的に配信することができる。
【００４０】
（１１）本発明の実施の形態に係る番組情報配信方法は、対象を説明するための番組を示す番組情報を配信する番組情報配信装置と、前記番組情報配信装置から配信される前記番組情報を受信する番組情報受信装置とを備える番組情報配信システムにおける番組情報配信方法であって、前記番組情報受信装置が、前記番組を視聴するユーザからの応答を示す応答情報を前記番組情報配信装置へ送信するステップと、前記番組情報配信装置が、受信した前記応答情報に基づいて前記ユーザの情報を更新し、更新した前記ユーザの情報に応じた内容の前記番組を選択するステップと、前記番組情報配信装置が、選択した前記番組を示す前記番組情報を前記番組情報受信装置へ送信するステップとを含む。
【００４１】
このように、ユーザからの応答情報に基づいて選択された内容の番組を示す番組情報が当該ユーザに配信されることにより、ユーザごとに適切な情報を自動的に配信することができる。
【００４２】
（１２）本発明の実施の形態に係る番組情報受信方法は、対象を説明するための番組を示す番組情報を受信する番組情報受信装置における番組情報受信方法であって、対象を説明するための番組を示す番組情報を受信するステップと、前記番組を視聴するユーザからの応答を示す応答情報を送信するステップと、前記応答情報に基づいて更新される前記ユーザの情報に応じて選択された内容の前記番組、を示す前記番組情報を受信するステップとを含む。
【００４３】
このように、ユーザからの応答情報に基づいて選択された内容の番組を示す番組情報が当該ユーザに配信されることにより、ユーザごとに適切な情報を自動的に配信することができる。
【００４４】
（１３）本発明の実施の形態に係る番組情報配信プログラムは、対象を説明するための番組を示す番組情報を配信する番組情報配信装置において用いられる番組情報配信プログラムであって、コンピュータに、前記番組を視聴するユーザからの応答を示す応答情報を受信するステップと、前記応答情報に基づいて前記ユーザの情報を更新し、更新した前記ユーザの情報に応じた内容の前記番組を選択するステップと、選択した前記番組を示す前記番組情報を送信するステップとを実行させるためのプログラムである。
【００４５】
このように、ユーザからの応答情報に基づいて選択された内容の番組を示す番組情報が当該ユーザに配信されることにより、ユーザごとに適切な情報を自動的に配信することができる。
【００４６】
（１４）本発明の実施の形態に係る番組情報配信プログラムは、対象を説明するための番組を示す番組情報を配信する番組情報配信装置と、前記番組情報配信装置から配信される前記番組情報を受信する番組情報受信装置とを備える番組情報配信システムにおいて用いられる番組情報配信プログラムであって、コンピュータに、前記番組情報受信装置が、前記番組を視聴するユーザからの応答を示す応答情報を前記番組情報配信装置へ送信するステップと、前記番組情報配信装置が、受信した前記応答情報に基づいて前記ユーザの情報を更新し、更新した前記ユーザの情報に応じた内容の前記番組を選択するステップと、前記番組情報配信装置が、選択した前記番組を示す前記番組情報を前記番組情報受信装置へ送信するステップとを実行させるためのプログラムである。
【００４７】
このように、ユーザからの応答情報に基づいて選択された内容の番組を示す番組情報が当該ユーザに配信されることにより、ユーザごとに適切な情報を自動的に配信することができる。
【００４８】
（１５）本発明の実施の形態に係る番組情報受信プログラムは、対象を説明するための番組を示す番組情報を受信する番組情報受信装置において用いられる番組情報受信プログラムであって、コンピュータに、対象を説明するための番組を示す番組情報を受信するステップと、前記番組を視聴するユーザからの応答を示す応答情報を送信するステップと、前記応答情報に基づいて更新される前記ユーザの情報に応じて選択された内容の前記番組、を示す前記番組情報を受信するステップとを実行させるためのプログラムである。
【００４９】
このように、ユーザからの応答情報に基づいて選択された内容の番組を示す番組情報が当該ユーザに配信されることにより、ユーザごとに適切な情報を自動的に配信することができる。
【００５０】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００５１】
（第１の実施の形態）
［構成および基本動作］
（番組情報配信システム全体の構成）
図１は、本発明の第１の実施の形態に係る番組情報配信システムの構成を示す図である。
【００５２】
図１を参照して、番組情報配信システム１００は、配信装置（番組情報配信装置）１１と、受信装置（番組情報受信装置）１２とを備える。なお、図１では１つの受信装置１２を示しているが、番組情報配信システム１００は、複数の受信装置１２を備えていても良い。配信装置１１と、各受信装置１２とはネットワーク１３を介して接続されている。
【００５３】
配信装置１１は、講義または会社説明など、対象を説明するための番組を示す番組情報を複数保持し、これらの番組情報をネットワーク１３経由で各受信装置１２へ送信することにより番組を配信する。このように、コンテンツである番組を配信するために送受信される情報を、「番組情報」と称する。
【００５４】
また、配信装置１１は、番組を視聴するユーザに関する情報（以下、「ユーザ情報」と称する）を、ユーザごとに保持する。
【００５５】
受信装置１２は、たとえば表示部を有する端末装置であって、配信装置１１からネットワーク１３経由で受信される番組情報を受信し、受信した番組情報の示す番組を表示部の画面に表示する。なお、受信装置１２は、表示部を有していなくても良く、たとえば受信装置１２の外部に設けられたディスプレイなどの表示装置に番組を表示する構成であっても良い。
【００５６】
詳細には、受信装置１２は、たとえば、画像および音声等が多重化されたＭＰＥＧ２−ＴＳ（Ｔｒａｎｓｐｏｒｔ  Ｓｔｒｅａｍ）形式のＴＳストリームを含む電波を、ネットワーク１３経由で配信装置１１から受信する。そして、受信装置１２は、受信した電波に含まれるＴＳストリームを処理することにより、画像を含む映像信号および音声を含む音声信号を生成し、生成した映像信号および音声信号を用いて、映像を画面に表示すると共にスピーカなどから音声を出力する。
【００５７】
なお、受信装置１２は、ＴＴＳ（Ｔｉｍｅｓｔａｍｐｅｄ  ＴＳ）パケットを、ネットワーク１３経由で配信装置１１から受信し、受信したＴＴＳパケットからＴＳストリームを生成する構成であっても良い。
【００５８】
各番組は、たとえば、複数の期間に分割され、当該期間ごとの分割番組を有する。これら複数の分割番組は、それぞれ異なるテーマを説明し、各分割番組を示す番組情報がそれぞれ作成されている。また、各分割番組の最後には、ユーザの理解度を確認するためのテストが含まれている。ある期間の分割番組を示す番組情報が送信されて、ユーザが当該分割番組に含まれるテストに対する回答を受信装置１２に入力すると、当該回答がユーザからの応答情報として受信装置１２からネットワーク１３経由で配信装置１１へ送信される。なお、分割番組の中には、テストを含まない分割番組が存在しても良い。
【００５９】
配信装置１１は、ユーザにより入力された回答の正否判定を行い、正否判定の結果に基づいてユーザ情報を更新する。たとえば、配信装置１１は、正否判定の結果に基づいて、ある分割番組を視聴したユーザのレベルを、当該ユーザのユーザ情報として記憶する。
【００６０】
そして、配信装置１１は、更新したユーザ情報に基づいて、受信装置１２に配信する分割番組を選択する。たとえば、配信装置１１は、ある期間に送信した番組情報に対するユーザの理解度に基づいて当該ユーザのレベルを判定し、判定した当該ユーザのレベルに応じて、保持している複数の異なる内容の分割番組の中から、次の期間に送信する内容の分割番組を選択する。そして、配信装置１１は、選択した分割番組を示す番組情報をネットワーク１３経由で受信装置１２へ送信する。
【００６１】
（受信装置の構成）
図２は、図１に示す受信装置の構成を示す図である。
【００６２】
図２を参照して、受信装置１２は、受信部３１と、表示制御部３２と、入力受付部３３と、送信部３４とを含む。受信部３１は、配信装置１１から配信可能な番組の一覧を示す情報をネットワーク１３経由で受信し、受信した情報を表示制御部３２へ出力する。表示制御部３２は、受信部３１から受けた情報に基づいて番組の一覧を表示部の画面などに表示する。
【００６３】
入力受付部３３は、番組の一覧の中からユーザによる番組の選択を受け付け、ユーザにより選択された番組の識別情報等を送信部３４へ出力する。送信部３４は、入力受付部３３から受けた番組の識別情報等を、ネットワーク１３経由で配信装置１１へ送信する。
【００６４】
また、受信部３１は、配信装置１１から送信された番組情報をネットワーク１３経由で受信し、表示制御部３２へ出力する。そして、表示制御部３２は、受信部３１から受けた番組情報の示す番組を画面に表示する。また、入力受付部３３は、番組に含まれるテストに対するユーザの回答の入力を受け付け、ユーザにより入力された回答を示す応答情報を送信部３４へ出力する。送信部３４は、入力受付部３３から受けた応答情報を、ネットワーク１３経由で配信装置１１へ送信する。
【００６５】
（配信装置の構成）
図３は、図１に示す配信装置の構成を示す図である。
【００６６】
図３を参照して、配信装置１１は、送信部２２と、受信部２３と、ユーザ情報記憶部２４と、番組情報記憶部２５と、処理部（選択部）２６とを含む。なお、ユーザ情報記憶部２４および番組情報記憶部２５は、配信装置１１の外部に設けられていても良い。
【００６７】
番組情報記憶部２５は、複数の番組情報を記憶する。ここで、番組情報記憶部２５に記憶されている番組情報の具体例について図面を用いて説明する。
【００６８】
図４は、図３に示す番組情報記憶部に記憶されている番組情報の分類の一例を示す図である。
【００６９】
図４を参照して、番組情報記憶部２５に記憶されている番組情報は、たとえば説明対象ごとに「番組Ａ」の番組情報、「番組Ｂ」の番組情報、・・・に分類されている。さらに、各番組の番組情報は、テーマごとに分類されている。たとえば、「番組Ａ」の番組情報は、「テーマＡ１」を説明する分割番組の番組情報、「テーマＡ１」の次に配信される「テーマＡ２」を説明する分割番組の番組情報、・・・などに分類されている。
【００７０】
また、各テーマを説明する分割番組の番組情報は、さらにレベルごとに分類されており、たとえば、「番組Ａ」の「テーマＡ１」の番組情報は、「レベル高」の番組情報、「レベル中」の番組情報および「レベル低」の番組情報、の３段階に分類されている。なお、レベルは必ずしも３段階に分けられている必要はなく、２段階または４段階以上に分けられていても良い。
【００７１】
なお、たとえば、「レベル低」の番組情報は、対象についての説明がゆっくりと丁寧に行われた内容の分割番組を示し、「レベル高」の番組情報は、対象についての説明が簡素化されていたり、応用的な説明が追加されていたりする内容の分割番組を示す。
【００７２】
また、番組情報記憶部２５は、テーマごとに、各レベルに含まれるテストの解答を記憶する。なお、テーマが同一であれば異なるレベルの分割番組間であっても同一のテストが含まれていても良い。
【００７３】
再び図３を参照して、送信部２２は、番組情報記憶部２５に記憶されている番組情報に基づいて、たとえば、受信装置１２に対して配信可能な番組および分割番組の一覧を示す情報を、ネットワーク１３を介して送信する。この番組および分割番組の一覧には、たとえば、「番組Ａ」の「テーマＡ１」を説明するための分割番組、「番組Ａ」の「テーマＡ２」を説明する分割番組、および「番組Ｂ」の「テーマＢ１」を説明する分割番組などが含まれる。
【００７４】
ユーザにより、ある番組のある分割番組が選択されると、受信部２３は、選択された分割番組を示す識別情報を、ネットワーク１３を介して受信装置１２から受信する。そして、受信部２３は、受信した当該識別情報を処理部２６へ出力する。
【００７５】
処理部２６は、受信部２３から識別情報を受けて、番組情報記憶部２５に記憶されている番組情報の中から当該識別情報に対応する番組情報を選択する。たとえば、処理部２６は、取得した識別情報が「番組Ａ」の「テーマＡ１」を示す場合、「テーマＡ１」のうち標準的なレベルである「レベル中」の分割番組を示す番組情報を選択する。
【００７６】
なお、受信装置１２へ送信される番組情報の一覧には、番組および分割番組だけでなく、「レベル高」、「レベル中」および「レベル低」などのレベルが含まれていても良い。この場合、ユーザは、視聴を希望する分割番組のレベルを選択し、ユーザにより選択された分割番組のレベルを示す識別情報が、受信装置１２から配信装置１１へ送信される。
【００７７】
また、受信部２３は、ユーザにより入力されたテストに対する回答を示す応答情報を、ネットワーク１３を介して受信装置１２から受信する。そして、受信部２３は、受信した応答情報を処理部２６へ出力する。
【００７８】
処理部２６は、番組情報記憶部２５に記憶されているテストの解答を参照して、受信部２３から受けた応答情報の示す回答の正否を判定する。そして、処理部２６は、正否の判定結果に基づいて、対象に対するユーザの理解度またはユーザの全般的な学力などを把握し、把握したユーザの理解度またはユーザの全般的な学力などに基づいて、当該ユーザのレベルを判定する。そして、処理部２６は、判定したユーザのレベルを示すユーザ情報をユーザ情報記憶部２４へ出力する。
【００７９】
ユーザ情報記憶部２４は、処理部２６から受けたユーザ情報を記憶する。なお、処理部２６は、ユーザ情報記憶部２４において既にユーザ情報が記憶されているユーザと同一のユーザのレベルを判定した場合には、新たな判定結果に基づいて当該ユーザ情報を更新する。
【００８０】
そして、処理部２６は、たとえば、ある期間の分割番組を示す番組情報の送信が完了するまでに受信部２３により受信された応答情報に基づいて更新したユーザ情報を用いて、次の期間に送信すべき分割番組を示す番組情報を番組情報記憶部２５に記憶されている番組情報の中から選択する。
【００８１】
そして、処理部２６は、選択した番組情報を送信部２２へ出力する。送信部２２は、処理部２６から受けた番組情報を、ネットワーク１３を介して受信装置１２へ送信する。
【００８２】
［動作］
次に、本発明の第１の実施の形態に係る番組情報配信システム１００の動作について説明する。
【００８３】
番組情報配信システム１００における各装置は、コンピュータを備え、当該コンピュータにおけるＣＰＵ等の演算処理部は、以下のシーケンス図またはフローチャートの各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【００８４】
図５は、本発明の第１の実施の形態に係る番組情報配信システムによる動作手順を定めたシーケンス図である。
【００８５】
図５を参照して、まず、ユーザがコンテンツの視聴を希望して受信装置１２に所定の入力操作を行うと、受信装置１２は、ネットワーク１３を介して、自己の識別情報等が含まれる認証リクエストを配信装置１１へ送信する（ステップＳ１１）。
【００８６】
次に、配信装置１１は、受信装置１２から認証リクエストを受信すると、当該認証リクエストに含まれる識別情報等に基づいて、当該認証リクエストの送信元である受信装置１２がコンテンツの配信対象として登録されているか否かを判定する（ステップＳ１２）。ここでは、当該認証リクエストの送信元である受信装置１２は、コンテンツの配信対象として登録されている受信装置であるとする。
【００８７】
次に、配信装置１１は、たとえば、認証リクエストに対する認証応答、および、配信可能な番組と分割番組との一覧を示す情報を、ネットワーク１３を介して受信装置１２へ送信する（ステップＳ１３）。
【００８８】
次に、受信装置１２は、配信装置１１から受信した情報に基づく番組および分割番組の一覧を画面に表示して、ユーザによる選択を受け付ける。そして、たとえばユーザがある番組のある分割番組を選択して受信装置１２に入力すると、受信装置１２は、ユーザにより選択された分割番組を示す識別情報を、配信装置１１へ送信する（ステップＳ１４）。
【００８９】
次に、配信装置１１による当該識別情報の示す分割番組に対応する番組情報の送信、および、受信装置１２による番組情報の受信が行われる（ステップＳ１５に示す「配信処理」）。なお、配信装置１１による番組情報の送信は、ＶＯＤ（Ｖｉｄｅｏ  Ｏｎ  Ｄｅｍａｎｄ）において用いられるＲＴＰ（Ｒｅａｌ  Ｔｉｍｅ  Ｔｒａｎｓｐｏｒｔ  Ｐｒｏｔｏｃｏｌ）またはＲＴＳＰ（Ｒｅａｌ  Ｔｉｍｅ  Ｓｔｒｅａｍｉｎｇ  Ｐｒｏｔｏｃｏｌ）などのプロトコルに従って行われる。
【００９０】
図６は、図５に示す配信処理における配信装置の動作手順を定めたフローチャートである。
【００９１】
図６を参照して、まず、配信装置１１は、受信装置１２から受信した識別情報の示す分割番組に対応する番組情報の送信を開始する（ステップＳ２１）。
【００９２】
次に、配信装置１１は、当該番組情報の送信が完了したか否かを確認する（ステップＳ２２）。そして、配信装置１１は、当該番組情報の送信が完了していない場合（ステップＳ２２において「Ｎｏ」）、当該番組情報の示す分割番組に含まれるテストに対するユーザの回答を示す応答情報を新たに受信したか否かを確認する（ステップＳ２３）。
【００９３】
そして、配信装置１１は、応答情報を受信した場合（ステップＳ２３において「Ｙｅｓ」）、受信した応答情報の示す回答の正否を判定し（ステップＳ２５）、判定結果に基づいてユーザ情報を更新する（ステップＳ２６）。そして、配信装置１１は、番組情報の送信が完了したか否かを再び確認する（ステップＳ２２）。
【００９４】
一方、配信装置１１は、応答情報を受信していない場合（ステップＳ２３において「Ｎｏ」）、ユーザ情報を更新することなく、番組情報の送信が完了したか否かを再び確認する（ステップＳ２２）。
【００９５】
次に、配信装置１１は、番組情報の送信が完了した場合（ステップＳ２２において「Ｙｅｓ」）、ユーザ情報に基づいて、次の期間に送信すべき分割番組を選択する。ここで、配信装置１１は、今回の期間においてユーザ情報を更新した場合（ステップＳ２６）、更新後のユーザ情報に基づいて、次の期間に送信すべき分割番組を選択する（ステップＳ２７）。ここで、配信装置１１により選択される分割番組の例を図面を用いて説明する。
【００９６】
図７は、図５に示す配信処理において配信装置により配信され、受信装置により画面に表示される番組のイメージを示す図である。
【００９７】
たとえば、図７（ａ）に示すように、ある期間１における「テーマＡ１」の「レベル中」の分割番組が配信され、当該分割番組の最後に図７（ｂ）に示すように「テーマＡ１」の「レベル中」のテストが配信されるとする。そして、ユーザによる当該テストの回答の正解率が所定値以上である場合、配信装置１１は、期間１における「テーマＡ１」の「レベル中」の分割番組の配信が完了した後、図７（ｃ）に示すように、同じ番組に含まれる分割番組のうち、期間１の次の期間２における「テーマＡ２」の「レベル高」の分割番組を配信する。
【００９８】
また、たとえば、ある期間１における「テーマＡ１」の「レベル中」の分割番組が配信され、当該分割番組の最後に配信されるテストに対するユーザの回答の正解率が所定値未満である場合、配信装置１１は、期間１における「テーマＡ１」の「レベル中」の分割番組の配信が完了した後、図７（ｄ）に示すように、同じ期間１における「テーマＡ１」の「レベル低」の分割番組を配信する。そして、配信装置１１は、期間１における「テーマＡ１」の「レベル低」の分割番組の配信が完了した後、図７（ｅ）に示すように、期間１の次の期間２における「テーマＡ２」の「レベル低」の分割番組を配信する。
【００９９】
なお、ある期間１における「テーマＡ１」の「レベル中」におけるテストに対するユーザの回答の正解率が所定値未満である場合、配信装置１１は、たとえば、期間１における「テーマＡ１」の「レベル中」の分割番組の配信が完了した後、期間１の次の期間２における「テーマＡ２」の「レベル低」の分割番組を配信しても良い。
【０１００】
また、配信装置１１は、ある期間１における「テーマＡ１」の「レベル中」の分割番組にテストが含まれていない場合など、ある分割番組を配信している期間１においてユーザ情報を更新しなかった場合には、たとえば、期間１における「テーマＡ１」の「レベル中」の分割番組の配信が完了した後、期間１の次の期間２における「テーマＡ２」の同じレベルである「レベル中」の分割番組を配信することができる。
【０１０１】
ところで、上記の特許文献１に記載の双方向データ通信方式では、複数の受講者に単一のコンテンツを配信するため、複数の受講者の中には、配信されるコンテンツである講義の内容を十分に理解できない状態のまま次の講義を視聴したり、講義の内容を十分に理解できているにもかかわらず長時間当該内容の講義を視聴したりするなど、効率的な学習を行うことができない受講者が存在する可能性がある。
【０１０２】
これに対して、本発明の実施の形態１に係る配信装置１１では、受信部２３が、番組を視聴するユーザからの応答を示す応答情報を受信する。また、処理部２６が、応答情報に基づいてユーザ情報を更新し、更新したユーザ情報に応じた内容の番組を選択する。また、送信部２２が、処理部２６により選択された番組を示す番組情報を送信する。
【０１０３】
このように、ユーザからの応答情報に基づいて選択された内容の番組を示す番組情報が当該ユーザに配信されることにより、ユーザごとに適切な情報を自動的に配信することができる。
【０１０４】
また、本発明の実施の形態１に係る配信装置１１では、処理部２６は、ユーザのレベルに応じた複数種類の番組の中から、更新したユーザ情報に対応する番組を選択する。
【０１０５】
このような構成により、各ユーザのレベルに応じた番組を示す番組情報、を配信することができるため、各ユーザに対して適切な難易度の番組を配信することができる。
【０１０６】
また、本発明の実施の形態１に係る配信装置１１において、番組は、複数の期間に分割され、当該期間ごとの分割番組を有し、各分割番組を示す番組情報がそれぞれ作成されている。また、処理部２６は、ある期間の分割番組を示す番組情報の送信が完了するまでに受信された応答情報に基づいて更新したユーザ情報に対応する分割番組を、ある期間の次の期間における分割番組として選択する。
【０１０７】
このような構成により、前の期間において得られた、ユーザのレベルなどを示すユーザの情報を用いて次の期間の分割番組を選択することができるので、期間ごとに適切な内容の分割番組を選択することができる。
【０１０８】
次に、本発明の他の実施の形態について図面を用いて説明する。なお、図中同一または相当部分には同一符号を付してその説明は繰り返さない。
【０１０９】
（第２の実施の形態）
［構成および基本動作］
図８は、本発明の第２の実施の形態に係る番組情報配信システムの配信装置の構成を示す図である。
【０１１０】
図８を参照して、本発明の第２の実施の形態に係る配信装置１１は、図３に示す第１の実施の形態に係る配信装置１１と比較して、さらに、質問管理部２７を含む。なお、質問管理部２７は、配信装置１１の外部に設けられていても良い。ここでは、上述した本発明の第１の実施の形態に係る配信装置１１と異なる点について主に説明する。
【０１１１】
受信部２３は、番組情報の配信期間において当該番組情報の示す番組に対するユーザからの質問を示す質問情報を、ネットワーク１３経由で受信装置１２から受信する。そして、受信部２３は、受信した質問情報を質問管理部２７へ出力する。
【０１１２】
質問管理部２７は、受信部２３から取得した質問情報の示す質問と、当該質問に対する回答と、当該質問の対象である番組とを対応づけた質問情報テーブルを記憶する。質問管理部２７は、受信部２３から質問情報を新たに受けると、記憶している質問情報テーブルを参照して、新たに受けた質問情報の示す質問に対する回答を検索する。
【０１１３】
そして、質問管理部２７は、当該質問に対する回答が質問情報テーブルに存在する場合、当該回答を示す回答情報を送信部２２へ出力する。そして、送信部２７は、質問管理部２７から受けた回答情報を、ネットワーク１３を介して受信装置１２へ送信する。
【０１１４】
また、処理部２６は、質問管理部２７に記憶されている質問情報テーブルを参照して、受信装置１２へ番組情報を配信する際、当該番組情報と共に、当該番組情報の示す番組に対応する質問および回答を示す情報を受信装置１２へ配信する。これにより、番組情報と、当該番組情報の示す番組に関連する過去に行われた質問および当該質問に対する回答とを、ユーザに一度に提示することができる。
【０１１５】
［動作］
次に、本発明の第２の実施の形態に係る番組情報配信システム１００の動作について説明する。
【０１１６】
番組情報配信システム１００における各装置は、コンピュータを備え、当該コンピュータにおけるＣＰＵ等の演算処理部は、以下のフローチャートの各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【０１１７】
図９は、図８に示す配信装置による動作手順を定めたフローチャートである。また、図１０は、図８に示す配信装置により配信され、受信装置により画面に表示される番組のイメージを示す図（その１）である。
【０１１８】
図９および図１０を参照して、まず、配信装置１１は、受信装置１２から受信した応答情報の示す分割番組の番組情報と、当該番組情報の示す分割番組に関連する過去の質問および当該質問に対する回答を示す情報との送信を開始する（ステップＳ３１）。受信装置１２は、これらの情報を受信すると、受信した情報を映像部分および文字部分に分けるためのデマックス処理等を行い、たとえば図１０（ａ）に示すような画像を画面に表示する。
【０１１９】
図１０（ａ）に示す例では、画面がメイン欄Ａと補助欄Ｂとに分けられ、メイン欄Ａには対象を説明するための映像が表示される。また、補助欄Ｂは、メイン欄Ａに表示される内容に対する過去の質問および当該質問の回答が文字などにより表示される過去質問表示欄Ｂ１と、当該内容に対する新たな質問を入力するための質問入力欄Ｂ２とを含む。
【０１２０】
また、質問入力欄Ｂ２には、ユーザによる文章入力が可能なテキスト欄Ｂ２ａと、具体的な文章の入力を行うことなくメイン欄Ａに表示される内容を理解することができない場合に選択するためのボタン部分Ｂ２ｂとが含まれる。なお、質問入力欄Ｂ２には、テキスト欄Ｂ２ａおよびボタン部分Ｂ２ｂのいずれか一方のみが含まれていても良い。
【０１２１】
ユーザにより質問入力欄Ｂ２ａに文章が入力された場合、および、ユーザによりボタン部分Ｂ２ｂが選択された場合のいずれの場合であっても、質問入力欄Ｂ２ａに入力された文章を示す情報、または、ボタン部分Ｂ２ｂが選択されたことを示す情報が質問情報として、ネットワーク１３経由で受信装置１２から配信装置１１へ送信される。
【０１２２】
次に、配信装置１１は、番組情報の送信が完了したか否かを確認する（ステップＳ３２）。そして、配信装置１１は、当該番組情報の送信が完了していない場合（ステップＳ３２において「Ｎｏ」）、受信装置１２から新たな質問情報を受信したか否かを確認する（ステップＳ３３）。
【０１２３】
そして、配信装置１１は、新たな質問情報を受信した場合（ステップＳ３３において「Ｙｅｓ」）、質問入力欄Ｂ２ａに入力された文章、または、ボタン部分Ｂ２ｂが選択されたタイミングなどに基づいて、ユーザからの質問内容を推定する（ステップＳ３４）。
【０１２４】
たとえば、配信装置１１は、テキスト欄Ｂ２ａに入力された文章に含まれるキーワード、または、テキスト欄Ｂ２ａに質問が入力されたタイミングから遡って所定時間以内にメイン欄Ａにおいて説明された内容に基づいて、ユーザの質問内容を推定する。また、たとえば、配信装置１１は、ボタン部分Ｂ２ｂが選択されたタイミングから遡って所定時間以内にメイン欄Ａにおいて説明された内容に基づいて、ユーザの質問内容を推定する。
【０１２５】
次に、配信装置１１は、推定した質問内容に対する回答が質問情報テーブルに存在しているか否かを確認する（ステップＳ３５）。
【０１２６】
そして、配信装置１１は、推定した質問内容に対する回答が質問情報テーブルに存在している場合（ステップＳ３５において「Ｙｅｓ」）、当該回答を示す回答情報を、ネットワーク１３を介して受信装置１２へ送信する（ステップＳ３６）。これにより、たとえば図１０（ｂ）に示すように、たとえば画面の補助部分Ｂにおけるテキスト欄Ｂ２ａに質問に対する回答が文字などにより表示される。
【０１２７】
一方、配信装置１１は、推定した質問内容に対する回答が質問情報テーブルに存在していない場合（ステップＳ３５において「Ｎｏ」）、たとえば、番組情報配信システム１００の管理者に当該質問内容を通知する（ステップＳ３７）。
【０１２８】
そして、通知された質問内容に対する回答を配信装置１１の図示しない入力部などに管理者等が入力すると、配信装置１１は、当該質問内容と、管理者等により入力された回答とを対応づけて記憶する（ステップＳ３８）。そして、配信装置１１は、管理者等により入力された回答を示す回答情報をネットワーク１３経由で受信装置１２へ送信する（ステップＳ３６）。
【０１２９】
ステップＳ３９からステップＳ４２に示す動作は、図６に示すステップＳ２３からステップＳ２６に示す動作と同様であるため、ここでの詳細な説明は繰り返さない。
【０１３０】
また、配信装置１１は、番組情報の送信が完了しておらず（ステップＳ３２において「Ｎｏ」）、新たな質問情報を受信していない場合（ステップＳ３３において「Ｎｏ」）、当該番組情報の送信が完了したか否かを再び確認する（ステップＳ３２）。
【０１３１】
一方、配信装置１１は、番組情報の送信が完了した場合（ステップＳ３２において「Ｙｅｓ」）、ユーザ情報に基づいて、次の期間に送信すべき分割番組を選択する。ここで、配信装置１１は、今回の期間においてユーザ情報を更新した場合（ステップＳ４２）、更新後のユーザ情報に基づいて、次の期間に送信すべき分割番組を選択する（ステップＳ４３）。
【０１３２】
その他の構成および動作は上述した本発明の第１の実施の形態に係る番組情報配信システム１００と同様であるため、ここでは詳細な説明を繰り返さない。
【０１３３】
上記のように、本発明の第２の実施の形態に係る配信装置１１では、受信部２３は、番組情報が配信されている期間において当該番組情報の示す番組に対するユーザからの質問を示す質問情報を受信する。また、送信部２２は、当該質問情報の示す質問に対する回答を示す回答情報を送信する。
【０１３４】
このように、番組情報の配信期間においてリアルタイムでユーザからの質問を受け付けることにより、番組の内容に対するユーザの理解度を深めることができる。
【０１３５】
また、本発明の第２の実施の形態に係る配信装置１１では、質問管理部２７が、受信部２３により過去に受信された質問情報の示す質問と、当該質問に対する回答と、当該質問の対象である番組とを対応づける。また、送信部２２が、番組情報と共に、当該番組情報の示す番組に対応する質問および回答を示す情報を送信する。
【０１３６】
このような構成により、過去に行われた質問および当該質問に対する回答を番組と共に一度に提示することができるため、番組の内容に対するユーザの理解度を深めることができる。また、複数のユーザから同じ内容の質問を受信すること、および複数のユーザへ同じ内容の回答を送信することを回避することができる。
【０１３７】
（変形例）
配信装置１１は、番組情報の配信期間において当該番組情報の示す番組に対するユーザからの評価を示す評価情報を、ネットワーク１３経由で受信装置１２から受信し、受信した評価情報を記憶することができる。
【０１３８】
図１１は、本発明の第２の実施の形態に係る番組情報配信システムの配信装置により配信され、受信装置により画面に表示される番組のイメージを示す図（その２）である。
【０１３９】
図１１に示すように、たとえば、受信装置１２により表示される画面が、メイン欄Ａと、補助欄Ｂと、評価欄Ｃとに分けられる。評価欄Ｃには、たとえば、メイン欄Ａに表示される内容が分かりやすいなどの理由によりユーザが高い評価をした場合に選択するための高評価ボタン部分Ｃ１と、メイン欄Ａに表示される内容が分かりにくいなどの理由によりユーザが低い評価をした場合に選択するための低評価ボタンＣ２とが含まれる。
【０１４０】
ユーザにより高評価ボタン部分Ｃ１または低評価ボタン部分Ｃ２が選択された場合、高評価ボタン部分Ｃ１が選択されたこと、または、低評価ボタン部分Ｃ２が選択されたことを示す評価情報が、ネットワーク１３経由で受信装置１２から配信装置１１へ送信される。
【０１４１】
配信装置１１は、評価情報を受信すると、たとえば、高評価ボタン部分Ｃ１または低評価ボタン部分Ｃ２が選択されたタイミングから遡って所定時間以内にメイン欄Ａにおいて説明された内容に基づいて、高評価または低評価された内容を推定する。そして、配信装置１１は、推定した内容と、ユーザによる評価とを対応づけて記憶することができる。
【０１４２】
上記のように、本発明の第２の実施の形態に係る配信装置１１の変形例では、受信部２３は、番組情報が配信されている期間において当該番組情報の示す番組に対するユーザからの評価を示す評価情報を受信する。
【０１４３】
このような構成により、ユーザからの評価を、たとえば番組の内容の改善に用いることができる。また、ユーザは、高評価ボタン部分Ｃ１または低評価ボタン部分Ｃ２を選択するという容易な操作により、番組に対する評価を行うことができる。
【０１４４】
（第３の実施の形態）
図１２は、本発明の第３の実施の形態に係る番組情報配信システムの配信装置の構成を示す図である。
【０１４５】
図１２を参照して、本発明の第３の実施の形態に係る配信装置１１は、図３に示す第１の実施の形態に係る配信装置１１と比較して、さらに、関連情報管理部２８を含む。なお、関連情報管理部２８は、配信装置１１の外部に設けられていても良い。ここでは、上述した本発明の第１の実施の形態に係る配信装置１１と異なる点について主に説明する。
【０１４６】
関連情報管理部２８は、番組情報と、番組情報の示す番組に関連する書籍などを示す関連情報とを対応づけて記憶する。
【０１４７】
処理部２６は、関連情報管理部２８に記憶されている番組情報および関連情報を参照して、受信装置１２へ番組情報を配信する際、当該番組情報と共に、当該番組情報の示す番組に対応する関連情報を送信部２２へ出力する。そして、送信部２２は、処理部２６から取得した番組情報および関連情報を、ネットワーク１３を介して受信装置１２へ送信する。
【０１４８】
図１３は、図１２に示す配信装置により配信され、受信装置により画面に表示される番組のイメージを示す図である。
【０１４９】
図１３に示すように、たとえば、受信装置１２の画面には、メイン欄Ａと補助欄Ｂとに分けられた画像が表示される。メイン欄Ａには、対象を説明するための映像が表示され、補助欄Ｂには、メイン欄Ａに表示されている映像に関連する関連情報が文字などによって表示される。
【０１５０】
なお、関連情報管理部２８は、たとえば、異なるレベルの番組情報ごとに、異なる関連情報を対応づけて記憶することができる。この場合、処理部２６は、受信装置１２へ配信する番組情報のレベルに応じて、異なる関連情報を選択して送信部２２へ出力することができる。
【０１５１】
また、画面に表示される関連情報が書籍などを示す場合、ユーザが当該書籍の購入を希望したり、当該書籍の詳細の確認を希望したりすることがある。このため、受信装置１２は、ユーザによる関連情報の選択を受け付け、ユーザにより選択された関連情報を配信装置１１へ通知することができる。そして、配信装置１１は、受信装置１２から関連情報の通知を受けた場合、当該関連情報の詳細などを受信装置１２へ送信してユーザに提示することができる。
【０１５２】
また、第３の実施の形態における配信装置１１は、さらに、上述した第２の実施の形態における配信装置１１のように質問管理部２７を含み、番組情報の配信期間において当該番組情報の示す番組に対するユーザからの質問を示す質問情報を受信する構成であっても良い。
【０１５３】
その他の構成および動作は上述した本発明の第１の実施の形態に係る番組情報配信システム１００と同様であるため、ここでは詳細な説明を繰り返さない。
【０１５４】
上記のように、本発明の第３の実施の形態に係る配信装置１１では、送信部２２は、番組情報が配信されている期間において当該番組情報の示す番組に関連する関連情報を送信する。
【０１５５】
このような構成により、番組に関連する関連情報を番組と共に一度に提示することができるため、番組の内容に対するユーザの理解度を深めることができる。また、ユーザが自ら番組の内容に関連する書籍などを探す手間を省くことができる。
【０１５６】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１５７】
以上の説明は、以下に付記する特徴を含む。
【０１５８】
［付記１］
対象を説明するための番組を示す番組情報を配信する番組情報配信装置であって、
前記番組を視聴するユーザからの応答を示す応答情報を受信する受信部と、
前記応答情報に基づいて前記ユーザの情報を更新し、更新した前記ユーザの情報に応じた内容の前記番組を選択する選択部と、
前記選択部により選択された前記番組を示す前記番組情報を送信する送信部とを備え、
前記番組は、講義または会社説明のための番組であり、
前記送信部は、画像および音声が多重化されたストリームを含む電波を送信する、番組情報配信装置。
【０１５９】
［付記２］
対象を説明するための番組を示す番組情報を配信する番組情報配信装置と、
前記番組情報配信装置から配信される前記番組情報を受信する番組情報受信装置とを備え、
前記番組情報受信装置は、前記番組を視聴するユーザからの応答を示す応答情報を前記番組情報配信装置へ送信し、
前記番組情報配信装置は、受信した前記応答情報に基づいて前記ユーザの情報を更新し、更新した前記ユーザの情報に応じた内容の前記番組を選択し、選択した前記番組を示す前記番組情報を前記番組情報受信装置へ送信し、
前記番組は、講義または会社説明のための番組であり、
前記番組情報配信装置は、画像および音声が多重化されたストリームを含む電波を送信する、番組情報配信システム。
【０１６０】
［付記３］
対象を説明するための番組を示す番組情報を受信する受信部と、
前記番組を視聴するユーザからの応答を示す応答情報を送信する送信部とを備え、
前記受信部は、前記応答情報に基づいて更新される前記ユーザの情報に応じて選択された内容の前記番組、を示す前記番組情報を受信し、
前記番組は、講義または会社説明のための番組であり、
前記受信部は、画像および音声が多重化されたストリームを含む電波を受信する、番組情報受信装置。
【符号の説明】
【０１６１】
１１  配信装置（番組情報配信装置）
１２  受信装置（番組情報受信装置）
１３  ネットワーク
２２  送信部
２３  受信部
２４  ユーザ情報記憶部
２５  番組情報記憶部
２６  処理部（選択部）
２７  質問管理部
２８  関連情報管理部
３１  受信部
３２  表示制御部
３３  入力受付部
３４  送信部
１００  番組情報配信システム
【図１】
0006331820.tif 000002
【図２】
0006331820.tif 000003
【図３】
0006331820.tif 000004
【図４】
0006331820.tif 000005
【図５】
0006331820.tif 000006
【図６】
0006331820.tif 000007
【図７】
0006331820.tif 000008
【図８】
0006331820.tif 000009
【図９】
0006331820.tif 000010
【図１０】
0006331820.tif 000011
【図１１】
0006331820.tif 000012
【図１２】
0006331820.tif 000013
【図１３】
0006331820.tif 000014